(57)【要約】      （修正有）【課題】天板が脚に固定された机に組み合わせ得る簡易なキャスター出し入れ構造を提供する。【解決手段】天板１と、天板の下面に固定されるブラケット部２と、そのブラケット部に上端部を固定されて上下方向へ延在する柱部３と、柱部の下端部に固定されて前後方向に延在する足部４とを有する脚５と、柱部内で昇降移動を案内される被駆動部７と、その被駆動部の下端部に固定されて前後方向に延在するキャスター支持部８と、複数のキャスター９とを有するキャスターフレーム１０と、ブラケット部に揺動可能に支持されるキャスター昇降レバー１７と、被駆動部の上端部と係合し、キャスター昇降レバーと一体に揺動してキャスターフレームを昇降させ、キャスターフレームの上昇位置でキャスターを足部の下面と同一高か、それより上まで上昇させるとともに、下降位置でキャスターを足部の下面より下方に突出させるキャスターフレーム駆動部材と、を具える。【選択図】図８
2015156954.tif 000002
【特許請求の範囲】
【請求項１】
天板と、
前記天板の下面に固定されるブラケット部と、そのブラケット部に上端部を固定されて上下方向へ延在する柱部と、前記柱部の下端部に固定されて前後方向に延在する足部とを有する脚と、
前記柱部内で昇降移動を案内される被駆動部と、その被駆動部の下端部に固定されて前記足部内で前後方向に延在するキャスター支持部と、そのキャスター支持部で支持されて前後方向に並んだ複数のキャスターとを有するキャスターフレームと、
前記ブラケット部に揺動可能に支持されて前記天板の下側に位置するキャスター昇降レバーと、
前記被駆動部の上端部と係合し、前記キャスター昇降レバーと一体に揺動して前記キャスターフレームを前記脚に対し昇降させ、前記キャスターフレームの上昇位置で前記キャスターを前記足部の下面と同一高さもしくはそれより上まで上昇させるとともに、前記キャスターフレームの下降位置で前記キャスターを前記足部の下面より下方に突出させるキャスターフレーム駆動部材と、
を具えてなるキャスター出入り式机。
【請求項２】
前記キャスター昇降レバーの後端部を、天板の後端部と近接させて配置するとともに、持ち上げると天板の下面に当接するように天板の下面に近接させて配置したことを特徴とする、請求項１記載のキャスター出入り式机。
【請求項３】
前記キャスターフレーム駆動部材は、前記キャスターフレームの前記被駆動部の上端部に摺接するカム部材であることを特徴とする、請求項１または２記載のキャスター出入り式机。
【発明の詳細な説明】
【技術分野】
【０００１】
この発明は、移動の際にはキャスターを出して机を容易に移動でき、使用の際にはキャスターを収納して机をしっかり固定できるキャスター出入り式机に関するものである。
【背景技術】
【０００２】
上述の如きキャスター出入り式机としては従来、例えば特許文献１にて開示されたものが知られており、このキャスター出入り式机は、天板を跳ね上げてコンパクトに収納可能にするために、天板を跳ね上げ状態と水平な使用状態とにそれぞれロックするロック機構と、そのロックを解除して天板を跳ね上げ状態と水平な使用状態との間で揺動可能にするロック解除レバーとを具え、また、その机の収納の際にキャスターを出して移動を容易にするために、天板の上げ下げとキャスターの出し入れを連動させる構成を具えている。
【先行技術文献】
【特許文献】
【０００３】
【特許文献１】特開２０１１−２４４８４５号公報
【発明の概要】
【発明が解決しようとする課題】
【０００４】
しかしながら上記キャスター出入り式机では、天板を跳ね上げて収納可能にするために、天板をロックするロック機構と、そのロックを解除するロック解除レバーとを具えることから、構造が複雑になり、組立に手間と時間がかかるという不都合があった。また、本願発明者が、学生等の、このような机の使用者の要求を調べたところ、机の使用者は必ずしも天板を跳ね上げて収納可能にすることを必要としていないということが判明した。
【課題を解決するための手段】
【０００５】
この発明は、発明者の上述した知見に鑑みて上記従来のキャスター出入り式机の課題を有利に解決するものであり、この発明のキャスター出入り式机は、
天板と、
前記天板の下面に固定されるブラケット部と、そのブラケット部に上端部を固定されて上下方向へ延在する柱部と、前記柱部の下端部に固定されて前後方向に延在する足部とを有する脚と、
前記柱部内で昇降移動を案内される被駆動部と、その被駆動部の下端部に固定されて前記足部内で前後方向に延在するキャスター支持部と、そのキャスター支持部で支持されて前後方向に並んだ複数のキャスターとを有するキャスターフレームと、
前記ブラケット部に揺動可能に支持されて前記天板の下側に位置するキャスター昇降レバーと、
前記被駆動部の上端部と係合し、前記キャスター昇降レバーと一体に揺動して前記キャスターフレームを前記脚に対し昇降させ、前記キャスターフレームの上昇位置で前記キャスターを前記足部の下面と同一高さもしくはそれより上まで上昇させるとともに、前記キャスターフレームの下降位置で前記キャスターを前記足部の下面より下方に突出させるキャスターフレーム駆動部材と、
を具えることを特徴とするものである。
【発明の効果】
【０００６】
上述したこの発明のキャスター出入り式机にあっては、机を移動させる際にキャスター昇降レバーの後端部を持ち上げると、キャスターフレームの被駆動部の上端部と係合するキャスターフレーム駆動部材が、キャスター昇降レバーと一体に揺動してキャスターフレームを脚に対し下降させ、キャスターフレームの下降位置で、キャスター支持部で支持されて前後方向に並んだ複数のキャスターを脚の足部の下面より下方に突出させる。
【０００７】
また、机を固定する際にキャスター昇降レバーの後端部を解放して下がれるようにすると、天板と脚とが自重で下降して相対的にキャスターフレームが上昇することで、キャスターフレームの被駆動部の上端部と係合するキャスターフレーム駆動部材がキャスター昇降レバーと一体に揺動して脚に対するキャスターフレームの上昇を許容し、キャスターフレームの上昇位置で、キャスター支持部で支持されて前後方向に並んだ複数のキャスターが脚の足部の下面と同一高さまで上昇する。
【０００８】
あるいは、机を固定する際にキャスター昇降レバーの後端部を解放して下がれるようにすると、キャスター昇降レバーが弾性的に揺動附勢されるとともに、キャスターフレームの被駆動部の上端部と係合するキャスターフレーム駆動部材がキャスター昇降レバーと一体に揺動して脚に対しキャスターフレームを上昇させ、あるいはキャスターフレームが弾性的に上昇附勢されるとともに、キャスターフレームの被駆動部の上端部と係合するキャスターフレーム駆動部材がキャスター昇降レバーと一体に揺動して脚に対するキャスターフレームの上昇を許容することにより、キャスターフレームの上昇位置で、キャスター支持部で支持されて前後方向に並んだ複数のキャスターが脚の足部の下面と同一高さもしくはそれより上まで上昇する。
【０００９】
従って、この発明のキャスター出入り式机によれば、天板が脚に固定された机に組み合わせ得る簡易なキャスター出し入れ構造を提供し、机の組立の手間と時間を省くことができる。しかも、従来品は天板が揺動するので、天板上にものを置いたままの移動ができなかったのに対し、この発明のキャスター出入り式机によれば、天板上にものを置いたままでの移動によるレイアウト変更が可能であり、また、清掃時の机の移動が楽であるので、机を持ち上げて移動する際の転倒事故を防止することもできる。
【００１０】
なお、この発明のキャスター出入り式机においては、前記キャスター昇降レバーの後端部を、天板の後端部と近接させて配置するとともに、持ち上げると天板の下面に当接するように天板の下面に近接させて配置してもよく、このようにすれば、机を移動させる際にキャスター昇降レバーの後端部を天板の後端部と一緒に掴んで天板の後端部に当接させておくことで、特にキャスター昇降レバーのロック機構を設けなくてもキャスターフレームを容易に下降位置に維持して、キャスターを出しておくことができ、このことは特に、机をある程度長い距離移動させる場合に好適である。
【００１１】
また、この発明のキャスター出入り式机においては、前記キャスターフレーム駆動部材は、前記キャスターフレームの前記被駆動部の上端部に摺接するカム部材であってもよく、このようにすれば、脚の柱部の下端からキャスターフレームの被駆動部を差し込んでその被駆動部の上端部をカム部材に当接させるだけでその被駆動部の上端部とカム部材とを係合させることができるので、天板が脚に固定された机に組み合わせ得るキャスター出し入れ構造を、さらに組立が容易で手間と時間のかからないものにすることができる。
【図面の簡単な説明】
【００１２】
【図１】この発明のキャスター出入り式机の一実施例を、キャスターを上昇させた状態で示す正面図である。
【図２】上記実施例のキャスター出入り式机を、キャスターを上昇させた状態で示す背面図である。
【図３】上記実施例のキャスター出入り式机を、キャスターを上昇させた状態で示す側面図である。
【図４】上記実施例のキャスター出入り式机を、キャスターを上昇させた状態で示す底面図である。
【図５】上記実施例のキャスター出入り式机を、キャスターを上昇させた状態で示す、図１のＡ−Ａ線に沿う断面図である。
【図６】上記実施例のキャスター出入り式机を、キャスターを上昇させた状態で示す、図１のＢ−Ｂ線に沿う断面図である。
【図７】上記実施例のキャスター出入り式机を、キャスターを下降させた状態で示す、図５と同様の位置での断面図である。
【図８】上記実施例のキャスター出入り式机を、キャスターを上昇させた状態で示す、図６と同様の位置での断面図である。
【発明を実施するための形態】
【００１３】
以下、この発明の実施の形態を図面に基づく実施例によって詳細に説明する。ここに、図１は、この発明のキャスター出入り式机の一実施例を、キャスターを上昇させた状態で示す正面図、図２は、上記実施例のキャスター出入り式机を、キャスターを上昇させた状態で示す背面図、図３は、上記実施例のキャスター出入り式机を、キャスターを上昇させた状態で示す側面図、図４は、上記実施例のキャスター出入り式机を、キャスターを上昇させた状態で示す底面図、図５は、上記実施例のキャスター出入り式机を、キャスターを上昇させた状態で示す、図１のＡ−Ａ線に沿う断面図、そして図６は、上記実施例のキャスター出入り式机を、キャスターを上昇させた状態で示す、図１のＢ−Ｂ線に沿う断面図である。なお、以下の説明では、前後左右というときは当該机の手前に位置する使用者から見ての方向を示す。
【００１４】
この実施例のキャスター出入り式机は、天板１を具えるとともに、その天板１の下面の側部に固定されて前後方向に延在する上向きに開いたコ字状断面で一部に天板１への取付け用フランジを持つブラケット部２と、そのブラケット部２に上端部を固定されて上下方向へ延在するパイプ状の柱部３と、その柱部３の下端部に前端部を固定されて前後方向に延在する下向きに開いたコ字状断面の足部４とを有する、左右２本の脚５を具えており、左右の脚５は、それらの脚５の柱部３の間に配置されて左右方向へ延在するとともに柱部３の内側面に掛合あるいはボルト固定される幕板６を介して互いに一体に結合され、幕板６の上端部は天板１の下面に固定されている。この左右の脚５の下面が床面Ｆに当接して固定支持されることで、この実施例のキャスター出入り式机は天板が脚に固定された通常の机として使用することができる。
【００１５】
この実施例のキャスター出入り式机はまた、左右の脚５の各々の柱部３内で昇降移動を案内されるパイプ状の被駆動部７と、その被駆動部７の下端部に固定されて左右の脚５の各々の足部４内で前後方向に延在する下向きに開いたコ字状断面のキャスター支持部８と、そのキャスター支持部８で支持されて前後方向に並んだ２コのキャスター９とを有する、左右２本のキャスターフレーム１０を具えており、各被駆動部７の上端部には、その上端部の開口を塞ぐとともに柱部３の内面と摺接してその内面に沿った昇降を案内される上端キャップ１１が固定され、また各柱部３の下端部には、その下端部の開口を塞ぐとともに被駆動部７の下端部と摺接して柱部３の内面と被駆動部７との平行を維持しつつ被駆動部７の昇降を案内する下端キャップ１２が固定され、各脚５の足部４の後端部には、その後端部の開口を塞ぐ後端キャップ１３が固定されるとともに下部に厚板状の雌ねじ部材１４が固定され、その雌ねじ部材１４には、ボルトの頭部に樹脂を被せた樹脂足１５が高さ調整可能に下方から螺合され、それら下端キャップ１２の下面と樹脂足１５の下面とが、後述の如くしてキャスター９が上昇している際に床面Ｆに当接する脚５の下面をなす。
【００１６】
この実施例のキャスター出入り式机はさらに、左右の脚５のブラケット部２に両端部を挿通されたシャフト１６を介して左右のブラケット部２に前部を揺動可能に支持されて、天板１の下側で机の使用者の脚と干渉しないように右側のブラケット部２の近くに位置するキャスター昇降レバー１７と、左右の脚５のブラケット部２内に配置されてシャフト１６の両端部と一体的に結合されるとともに被駆動部７の上端部の上端キャップ１１の上面と係合すなわち摺接し、シャフト１６を介してキャスター昇降レバー１７と一体に揺動して各キャスターフレーム１０を各脚５に対し昇降させるキャスターフレーム駆動部材としてのカム部材であるキャスターフレーム駆動カム１８とを具えており、ここではキャスター昇降レバー１７の後端部を前後方向位置に関して天板１の後端部と近接させて配置するとともに、キャスター昇降レバー１７の非操作時にシャフト１６より前側の前端部を天板１の下面に当接させることで、キャスター昇降レバー１７の後端部を、持ち上げ操作時に容易に天板１の下面に当接するように、上下方向位置に関して非操作時に天板１の下面に近接させて配置している。なお、左右の脚５のブラケット部２の後端部には、その後端部の開口を塞ぐ後端キャップ１９が固定されている。
【００１７】
図７は、上記実施例のキャスター出入り式机を、キャスターを下降させた状態で示す、図５と同様の位置での断面図であり、図８は、上記実施例のキャスター出入り式机を、キャスターを上昇させた状態で示す、図６と同様の位置での断面図である。この実施例のキャスター出入り式机にあっては、机を移動させる際に、図７に示すように、キャスター昇降レバー１７の後端部を手で持ち上げると、各脚５内のキャスターフレーム１０の被駆動部７の上端部の上端キャップ１１と摺接するキャスターフレーム駆動カム１８が、図８に示すように、キャスター昇降レバー１０と一体に図では反時計回りに揺動して被駆動部７の上端部の上端キャップ１１を押し下げて、摺動抵抗の少ない樹脂製の上端キャップ１１の外面と金属製の柱部３の平滑な内面との摺接および、金属製の被駆動部７の下端部の平滑な外面と摺動抵抗の少ない樹脂製の下端キャップ１２の内面との摺接により、キャスターフレーム１０を脚５に対し柱部３の内面に沿って案内して下降させ、そのキャスターフレーム１０の下降位置で、キャスター支持部８で支持されて前後方向に並んだ２個のキャスター９を脚５の足部４の下面すなわち下端キャップ１２と樹脂足１５との下面より下方に突出させ、相対的に脚５の足部４の下面を床面Ｆから持ち上げて、床面Ｆ上でのキャスター９の転動による机の容易な移動を可能にする。
【００１８】
また、机を固定する際に、図５に示すように、キャスター昇降レバー１７の後端部を解放して下がれるようにすると、天板１と左右の脚５と幕板６とが自重で、脚５の足部４の下面すなわち下端キャップ１２と樹脂足１５との下面が下降して、キャスターフレーム１０が相対的に脚５に対し上昇し、その際、キャスターフレーム１０の被駆動部７の上端部の上端キャップ１１と摺接するキャスターフレーム駆動カム１８は、キャスター昇降レバー１７と一体に図では時計回りに揺動して脚５に対するキャスターフレーム１０の上昇を許容し、そのキャスターフレーム１０の上昇位置で、図６に示すように、キャスター支持部８で支持されて前後方向に並んだ２個のキャスター９が、脚５の足部４の下面すなわち下端キャップ１２と樹脂足１５との下面と同一高さまで上昇して、下端キャップ１２と樹脂足１５との下面と床面Ｆとの当接による机の固定を可能にする。
【００１９】
従って、この実施例のキャスター出入り式机によれば、天板１が脚５に固定された机に組み合わせ得る簡易なキャスター出し入れ構造を提供し、机の組立の手間と時間を省くことができる。
【００２０】
また、この実施例のキャスター出入り式机によれば、キャスター昇降レバー１７の後端部を、天板１の後端部と近接させて配置するとともに、持ち上げると天板１の下面に当接するように天板１の下面に近接させて配置したので、机を移動させる際にキャスター昇降レバー１７の後端部を天板１の後端部と一緒に手で掴んで図７に示すように天板１の後端部に当接させておくことで、特にキャスター昇降レバー１７のロック機構を設けなくてもキャスターフレーム１０を容易に下降位置に維持して、キャスター９を出しておくことができ、このことは特に、机をある程度長い距離移動させる場合に好適である。
【００２１】
また、この実施例のキャスター出入り式机によれば、キャスターフレーム駆動部材は、キャスターフレーム１０の被駆動部７の上端部の上端キャップ１１に摺接するキャスターフレーム駆動カム１８であるので、脚５の柱部３の下端からキャスターフレーム１０の被駆動部７を差し込んでその被駆動部７の上端部の上端キャップ１１をキャスターフレーム駆動カム１８に当接させるだけでその被駆動部７の上端部とャスターフレーム駆動カム１８とを係合すなわち摺接させることができるので、天板１が脚５に固定された机に組み合わせ得るキャスター出し入れ構造を、さらに組立が容易で手間と時間のかからないものにすることができる。
【００２２】
以上、図示例に基づき説明したが、この発明は上述の例に限定されるものでなく、特許請求の範囲の記載範囲内で適宜変更し得るものであり、例えば、キャスター昇降レバー１７を図５，６に示す解放位置に向けて弾性的に常時附勢する捻りスプリングや、キャスターフレーム１０を図５，６に示す脚５の足部４の下面と同一高さもしくはそれより上の上昇位置に向けて弾性的に常時附勢する引張りあるいは圧縮スプリングを設けてもよく、このようにすれば、机を固定する際にキャスター昇降レバー１７の後端部を解放して下がれるようにすると、キャスター昇降レバー１７が弾性的に揺動附勢されるとともに、キャスターフレーム１０の被駆動部の上端部と係合するキャスターフレーム駆動カム１８がキャスター昇降レバー１７と一体に揺動して脚５に対しキャスターフレーム１０を上昇させ、あるいはキャスターフレーム１０が弾性的に上昇附勢されるとともに、キャスターフレーム駆動カム１８がキャスター昇降レバーと１７一体に揺動して脚に対するキャスターフレーム１０の上昇を許容することにより、キャスターフレーム１０の上昇位置で、キャスター支持部８で支持されて前後方向に並んだ２個のキャスター９が脚５の足部４の下面と同一高さもしくはそれより上まで確実に上昇させることができる。
【００２３】
また、上記実施例では、キャスター昇降レバー１７を天板１の下面の右側部の下に１本だけ設けたが、この発明においては、キャスター昇降レバーを天板の下面の左側部の下に１本あるいは左右両側部の下にそれぞれ設けても良い。さらに、上記実施例では、被駆動部７の上端部と係合し、キャスター昇降レバー１７と一体に揺動してキャスターフレーム１０を脚５に対し昇降させるキャスターフレーム駆動部材としてキャスターフレーム駆動カム１８を用いたが、代わりに被駆動部７の上端部と先端部が掛合し、キャスター昇降レバー１７と一体に揺動してキャスターフレーム１０を脚５に対し昇降させるアーム部材を用いても良く、あるいは、キャスター昇降レバー１７を各ブラケット部２内に揺動可能に配置して、そのキャスター昇降レバー１７の、支持軸より前方に位置する前端部をキャスターフレーム駆動部材として用いても良い。
【産業上の利用可能性】
【００２４】
かくしてこの発明のキャスター出入り式机によれば、天板が脚に固定された机に組み合わせ得る簡易なキャスター出し入れ構造を提供し、机の組立の手間と時間を省くことができる。しかも、従来品は天板が揺動するので、天板上にものを置いたままの移動ができなかったのに対し、この発明のキャスター出入り式机によれば、天板上にものを置いたままでの移動によるレイアウト変更が可能であり、また、清掃時の机の移動が楽であるので、机を持ち上げて移動する際の転倒事故を防止することもできる。
【符号の説明】
【００２５】
１  天板
２  ブラケット部
３  柱部
４  足部
５  脚
６  幕板
７  被駆動部
８  キャスター支持部
９  キャスター
１０  キャスターフレーム
１１  上端キャップ
１２  下端キャップ
１３，１９  後端キャップ
１４  雌ねじ部材
１５  樹脂足
１６  シャフト
１７  キャスター昇降レバー
１８  キャスターフレーム駆動カム
Ｆ  床面
【図１】
2015156954.tif 000003
【図２】
2015156954.tif 000004
【図３】
2015156954.tif 000005
【図４】
2015156954.tif 000006
【図５】
2015156954.tif 000007
【図６】
2015156954.tif 000008
【図７】
2015156954.tif 000009
【図８】
2015156954.tif 000010